(57)【要約】【課題】保守作業等を容易に行うことができる複合処理装置を提供する。【解決手段】第１の搬送経路(25)に沿って搬送されるスリップ紙の一方の面側に配設され、前記スリップ紙の一方の面に印字を行う第１の印字部(18)と、前記第１の搬送経路に沿って搬送される前記スリップ紙の他方の面側であって前記第１の搬送経路と異なる経路の第２の搬送経路(26)に沿って搬送されるロール紙に対して印字及び切断を行う第3の印字部(15)とカッタ(13)とを搭載したロール紙ユニット(32)を備え、前記ロール紙ユニットの開状態において、少なくとも前記カッターが露出するように装置本体に対し、開閉可能に取り付けられていることを特徴とする複合処理装置。【選択図】図３
2006272966.tif 000002
【特許請求の範囲】
【請求項１】
第１の搬送経路に沿って搬送されるスリップ紙の一方の面側に配設され、前記スリップ紙の一方の面に印字を行う第１の印字部と、
前記第１の搬送経路に沿って搬送される前記スリップ紙の他方の面側であって前記第１の搬送経路と異なる経路の第２の搬送経路に沿って搬送されるロール紙に対して印字及び切断を行う第3の印字部とカッタとを搭載したロール紙ユニットを備え、前記ロール紙ユニットの開状態において、少なくとも前記カッターが露出するように装置本体に対し、開閉可能に取り付けられていることを特徴とする複合処理装置。
【請求項２】
第１の搬送経路に沿って搬送されるスリップ紙の一方の面側に配設され、前記スリップ紙の一方の面に印字を行う第１の印字部と、
前記第１の搬送経路に沿って搬送される前記スリップ紙の他方の面側に配設され、前記スリップ紙の他方の面に印字を行う第２の印字部と、
前記第１の搬送経路に沿って搬送される前記スリップ紙の他方の面側であって前記第２の印字部の上部に配設され、前記第１の搬送経路と異なる経路の第２の搬送経路に沿って搬送されるロール紙に対して印字及び切断を行う第３の印字部とカッタとを搭載したロール紙ユニットを備え、前記ロール紙ユニットの開状態において前記第３の印字部及び前記カッターが露出するように装置本体に対し、開閉可能に取り付けられていることを特徴とする複合処理装置。
【請求項３】
前記ロール紙ユニットは、円周部と平面部から成る支軸を備え、前記装置本体に備えられた溝部のある孔部に対し、前記支軸の円周部が前記溝部を通して前記孔部まで挿入又は該孔部から引き出されるようになっていることにより、開閉すると共に着脱自在に係合する手段を有し、前記装置本体から着脱、または交換できるように構成されていることを特徴とする請求項１又は２記載の複合処理装置。
【請求項４】
前記第２の印字部は消耗品を使用する印字方式であり、前記ロール紙ユニットの開状態において、前記第２の印字部の前記消耗品が交換可能な位置に構成されていることを特徴とする請求項２又は３記載の複合処理装置。
【請求項５】
前記第１の搬送経路の上流側に、磁気情報が予め記録された前記スリップ紙と接触して前記磁気情報を読み取る情報読み取り手段が配設されたことを特徴とする請求項１乃至４記載のいずれか１項記載の複合処理装置。
【発明の詳細な説明】
【技術分野】
【０００１】
本発明は、例えばパーソナルチェック等のスリップ紙に記録されている磁気インク文字（ＭＩＣＲ（Magnetic Ink Character Recognition）文字ともいう）を読み取り、その内容に応じてスリップ紙に印字を行うとともにロール紙に対して印字を行う複合処理装置に関する。
【背景技術】
【０００２】
従来より、商取引や店舗での買い物には、小切手やパーソナルチェック（以下、「チェック紙」という）が広く用いられている。一般に、チェック紙の表側には金額やサインを記入（表書き）するための記入欄が記載されているほか、銀行番号、口座番号等の必要記載事項の一部や小切手番号等の規格化された情報が、磁気インク文字(以下「ＭＩＣＲ（Magnetic Ink Character Recognition）文字」という。)によって所定の位置に記載されている。
【０００３】
このＭＩＣＲ文字を読み取って記載事項を抽出する読取手段が開発されており、店舗等において、チェック紙を受け取ったオペレータは、そのような読取手段によってＭＩＣＲ文字の読み取り処理を行ってチェック紙の有効性を確認した後、チェック紙の裏側に認証や受け取り店舗の名称等の裏書き事項を印字手段を用いて印字するようにしている。また、読取手段によって読み取った情報等に基づい印字したレシートを発行するようにしている。
【０００４】
このような複数の処理を一括して複合的に行う複合処理装置としては、従来、図６に示すようなものが知られている。
【０００５】
図６に示すように、この複合処理装置２０１においては、チェック紙の挿入口２０２と排出口２０３との間に形成された搬送経路２０４の近傍に、ＭＩＣＲ文字を読み取る読取手段２０５が設けられるとともに、搬送経路２０４を挟んで読取手段２０５の反対側には裏書き事項等を印字する印字部２０６が設けられている。また、レシート用のロール紙Ｒを回転可能に保持するロール紙保持部２０７が搬送経路２０４から離れた位置に設けられている。
【０００６】
この従来例において、ロール紙Ｒから引き出された記録紙２０９は、紙送りローラ２１０によって印字部２０６の近傍に導かれ、反転ローラ２１１によって紙送り方向が反転された後、カッター２１２によって切断されて排出口２０８から排出されるようになっている。
【特許文献１】特開平０５−０５８５１４号公報
【発明の開示】
【発明が解決しようとする課題】
【０００７】
しかしながら、このような従来の複合処理装置２０１においては、スリップ紙に印字を行う印字部２０６によってロール紙Ｒに印字を行うようにしていることから、印字部２０６、反転ローラ２１１及びカッター２１２を近接して配置しなければならず、そのため、印字部２０６、反転ローラ２１１、カッター２１２の保守作業、例えばカッター２１２がロックした場合の復帰作業等が煩雑になるという問題があった。
【０００８】
更には、印字部２０６とロール紙排出口２２４との距離が長くなることから所望の印字を終了後にロール紙排出口２２４まで紙送りする必要なことより、所望の印字の前後に長い空白があるレシートとなり、ロール紙の仕様効率が悪く更にレシート発行する時間が遅いものであった。
【０００９】
また、近年、この種の複合処理装置においては、チェック紙に対する表書き印字を行う機能を有するものが望まれているが、表書き印字用の印字部は搬送経路の読取手段２０５側の奥まった部位に配置せざるを得ないため、例えばインクリボン等の消耗品を交換しようとすると工具を用いて機械部品を分解しなければならず、その作業が煩雑になるという問題もあった。
【００１０】
本発明は、このような従来の技術の課題を解決するためになされたもので、保守作業等を容易に行うことができる複合処理装置を提供することを目的とするものである。
【課題を解決するための手段】
【００１１】
上記目的を達成するためになされた請求項１記載の発明は、第１の搬送経路に沿って搬送されるスリップ紙の一方の面側に配設され、前記スリップ紙の一方の面に印字を行う第１の印字部と、前記第１の搬送経路に沿って搬送される前記スリップ紙の他方の面側であって前記第１の搬送経路と異なる経路の第２の搬送経路に沿って搬送されるロール紙に対して印字及び切断を行う第３の印字部とカッタとを搭載したロール紙ユニットを備え、前記ロール紙ユニットの開状態において、少なくとも前記カッターが露出するように装置本体に対し、開閉可能に取り付けられていることを特徴とする。
【００１２】
また、請求項２記載の発明は、第１の搬送経路に沿って搬送されるスリップ紙の一方の面側に配設され、前記スリップ紙の一方の面に印字を行う第１の印字部と、前記第１の搬送経路に沿って搬送される前記スリップ紙の他方の面側に配設され、前記スリップ紙の他方の面に印字を行う第２の印字部と、前記第１の搬送経路に沿って搬送される前記スリップ紙の他方の面側であって前記第２の印字部の上部に配設され、前記第１の搬送経路と異なる経路の第２の搬送経路に沿って搬送されるロール紙に対して印字及び切断を行う第３の印字部とカッタとを搭載したロール紙ユニットを備え、前記ロール紙ユニットの開状態において前記第３の印字部及び前記カッターが露出するように装置本体に対し、開閉可能に取り付けられていることを特徴とする。
【００１３】
また、請求項３記載の発明は、前記ロール紙ユニットは、円周部と平面部から成る支軸を備え、前記装置本体に備えられた溝部のある孔部に対し、前記支軸の円周部が前記溝部を通して前記孔部まで挿入又は該孔部から引き出されるようになっていることにより、開閉すると共に着脱自在に係合する手段を有し、前記装置本体から着脱、または交換できるように構成されていることを特徴とする。
【００１４】
また、請求項４記載の発明は、前記第２の印字部は消耗品を使用する印字方式であり、前記ロール紙ユニットの開状態において、前記第２の印字部の前記消耗品が交換可能な位置に構成されていることを特徴とする。
【００１５】
また、請求項５記載の発明は、前記第１の搬送経路の上流側に、磁気情報が予め記録された前記スリップ紙と接触して前記磁気情報を読み取る情報読み取り手段が配設されたことを特徴とする。
【発明の効果】
【００１６】
請求項１又は２記載発明の場合、スリップ紙を搬送する第１の搬送経路と、ロール紙を搬送する第２の搬送経路とが異なる経路をとるように構成されているため、ロール紙に印字の際にスリップ紙の搬送経路を経由しなくてもよく、その結果、ロール紙の搬送方向を反転するための構成が必要なくなり、第３の印字部と排出口との搬送距離を短くすることが可能となる。
また、請求項２記載の発明の場合、スリップ紙に印字を行う第２の印字部と、ロール紙に印字を行う第３の印字部とをそれぞれ余裕をもって配置することができ、これにより各印字部における消耗品の交換等の保守作業等を容易に行うことが可能になる。
また、ロール紙ユニットを開いた状態にすると、第２の印字部及び前記カッターが露出するため、工具を用いて機械部分を分解することなく第２の印字部やカッターの保守作業等をより効率的に行うことができる。
【００１７】
請求項３記載の発明の場合、装置本体に対して第３の印字部が着脱自在に構成されていることから、ユニット状の第３の印字部を装置本体から取り外した状態で各印字部の保守作業等を行うことができ、これにより作業性を向上させることができる。この場合、それぞれ異なる機能を有する第３の印字部を用意して交換するようにすれば、種々の用途に対応した複合処理装置を提供することができるとともに、構成部品の共用化を図ることが可能になる。
請求項４記載の発明の場合、第２の印字部は消耗品を使用する印字方式（例えばドットインパクト方式）であり、第３の印字部を開いた状態にすると、第２の印字部が露出するため、工具を用いて機械部分を分解することなく第２の印字部の消耗品（例えばインクリボンカセット）の交換をより効率的に行うことができる。
請求項５記載の発明によれば、情報読み取り手段によって読み取られた結果を直ちに第３の印字部から出力することも可能となり、複合処理装置の機能を更に向上させることができる。
【発明を実施するための最良の形態】
【００１８】
以下、本発明に係る複合処理装置の実施の形態を図面を参照して詳細に説明する。
図１は、本実施の形態の複合処理装置の外観構成を示す斜視図であり、図２は、本実施の形態の複合処理装置の本体上カバーを開いた状態を示す斜視図である。
【００１９】
図３（ａ）は、本実施の形態の複合処理装置の内部の概略構成を示す概略構成図であり、図３（ｂ）は、本実施の形態におけるロール紙ユニットが開いた状態を示す概略構成図である。
【００２０】
図４（ａ）は、本実施の形態のロール紙ユニットの回転動作を示す説明図であり、図４（ｂ）は、本実施の形態におけるロール紙ユニットを取り外す場合を示す説明図である。
【００２１】
図５は、本実施の形態において使用可能なロール紙ユニットを示す説明図である。
【００２２】
図１又は図２に示すように、本実施の形態の複合処理装置１は、それぞれ例えば樹脂からなる本体下カバー５と、本体下カバー５の上側に設けられた本体中カバー２と、本体中カバー２の前方上側（図１の左方下側）に設けられた本体前カバー３と、本体中カバー２の後方上側に設けられたユニットカバー４とから装置本体６が構成されている。
【００２３】
本実施の形態の複合処理装置１は、本体下カバー５及び本体中カバー２を有する本体ユニット３０と、本体ユニット３０の前方側に設けられスリップ紙（図示せず）に対して印字を行う第１の印字部１９を有する読取印字ユニット３１と、本体ユニット３０の後方側に設けられたロール紙ユニット３２とから構成されている。
【００２４】
図１又は図３（ａ）に示すように、装置本体６の正面側の部分には、本体前カバー３と本体中カバー２とによって、チェック紙等のスリップ紙を挿入するための挿入口２１が形成されている。そして、本体前カバー３の後縁部３ａとユニットカバー４の前縁部４２とによって、スリップ紙を排出するための排出口２２が形成されている。また、本体前カバー３の前側部分には、複合処理装置１を操作するための操作パネル３ｂが設けられている。
【００２５】
図３（ａ）に示すように、本体前カバー３の内側面と、本体下カバー５の上側
面によって第１の搬送経路２５が形成されている。
【００２６】
読取印字ユニット３１の下部分には、チェック紙の表側に記録されたＭＩＣＲ文字を読み取るための読取ヘッド（情報読取手段）１７が設けられている。読取ヘッド１７は、図示しないチェック紙に記録された磁気情報を読み取る機能を有し、押圧部材を押し付けることによってチェック紙がヘッド部分に密着するように構成されている。
【００２７】
また、読取印字ユニット３１内の上部には、チェック紙の表書き印字を行うための例えばドットインパクト方式による表書き印字部（第１の印字部）１９が配設されている。
【００２８】
一方、第１の搬送経路２５を挟んで第１の印字部の反対側には、表書き印字部１９と読取ヘッド１７との間に、チェック紙に対して裏書き印字を行うための例えばドットインパクト方式による裏書き印字部（第２の印字部）１８が配設されている。
【００２９】
なお、裏書き印字部１８及び表書き印字部１９には、第１の搬送経路２５を挟んでそれぞれ対向する位置に図示しないプラテン部が設けられ、これによりインクリボンヘッドを用いてチェック紙に印字行うようになっている。
【００３０】
図２に示すように、本体中カバー２は、例えば金属からなる本体フレーム１１を覆うように設けられている。そして、この本体フレーム１１には、ロール紙ユニット３２のユニットフレーム１２が開閉自在に取り付けられている。ここで、ユニットフレーム１２は、ユニットカバー４及びリヤカバー４ａによって覆われている。
【００３１】
図２又は図３（ａ）に示すように、ユニットフレーム１２には、ロール紙を保持するロール紙保持部４ｂが取り付けられており、このロール紙保持部４ｂは、開閉自在のリヤカバー４ａの開閉によってロール紙の装填及び交換ができるように構成されている。
【００３２】
図１又は図３（ａ）に示すように、ロール紙保持部４ｂの前方側部分と、リヤカバー４ａの前方側部分とによって、ロール紙を搬送するための第２の搬送経路２６が形成されている。この第２の搬送経路２６の前方側の近傍には、ロール紙から引き出された記録紙に対して印字を行うためのサーマルヘッド（第３の印字部）１５が設けられ、導入口２３から第２の搬送経路２６内に導入された記録紙に対して感熱方式によって印字を行うようになっている。
【００３３】
また、サーマルヘッド１５の上方近傍には、印字された記録紙を切断するためのカッター１３が設けられている。そして、カッター１３の上方近傍には、ユニットカバー４の後縁部４１とリヤカバー４ａの前縁部４０とによって排出口２４が形成されている。
【００３４】
図４（ａ）又は図５に示すように、本体フレーム１１は、所定の間隔で立設された一対の平行な側壁部１１ａ、１１ｂを有し、これらの側壁部１１ａ、１１ｂの後方側の端部に係合溝１１０が形成されている。
【００３５】
一方、ユニットフレーム１２には、本体フレーム１１の側壁部１１ａ、１１ｂより若干狭い間隔で一対の平行な側壁部１２ａ、１２ｂが設けられ、各側壁部１２ａ、１２ｂの後端部には、本体フレーム１１の側壁部１１ａ、１１ｂの係合溝１１０と係合可能な回動支軸１２０が突出形成されている。そして、ユニットフレーム１２の回動支軸１２０と本体フレーム１１の係合溝１１ｃとが係合することによって、図３（ａ）（ｂ）に示すように、本体フレーム１１に対しロール紙ユニット３２が矢印Ａ又はＢ方向へ回動自在に支持されるようになっている。
【００３６】
図２に示すように、ロール紙ユニット３２のユニットカバー４の一方の側面にはオープンレバー９が設けられている。このオープンレバー９は、本体フレーム１１と係合可能な係止爪１０と連動するように構成されている。そして、係止爪１０と本体フレーム１１との係止が解除された場合に、例えば図示しない弾性部材の付勢力によってロール紙ユニット３２が本体上方側（矢印Ａ方向）に開く方向に回動するようになっている。
【００３７】
本実施の形態の場合、ロール紙ユニット３２は、図３（ｂ）に示す開角度θ１（例えば９０°）開いた位置で係止するように構成されている。そして、この状態においては、ロール紙ユニット３２のカッター１３及びサーマルヘッド１５、及び本体ユニット３０内の裏書き印字部１８が露出するようになっている。
【００３８】
図４（ｂ）に示すように、本体フレーム１１に設けられた係合溝１１０は、円形状に形成された孔部１１０ａと、本体フレーム１１の後縁側において孔部１１０ａの外径より小さい幅で本体フレーム１１の長さ方向に延びるように形成された溝部１１０ｂとから構成されている。
【００３９】
一方、ユニットフレーム１２の回動支軸１２０は、その側面が、同一の曲率を有する円周側面部１２０ａと、互いに平行な平面部１２０ｂとから構成されている。ここで、平面部１２０ｂ間の幅は本体フレーム１１の溝部１１０ｂの幅より若干狭くなるように形成され、また円周側面部１２０ａの幅は、本体フレーム１１の溝部１１０ｂの幅より広く、かつ、孔部１１０ａの直径より若干小さくなるように構成されている。
【００４０】
さらに、図４（ｂ）に示すように、ユニットフレーム１２の平面部と、本体フレーム１１の長さ方向とのなす角度（図４（ｂ）の直線Ｍ、Ｎのなす角度）が９０°より大きい所定の角度θ２（例えば１３５°）となるように構成されている。
【００４１】
このような構成により、図４（ａ）（ｂ）に示すように、ロール紙ユニット３２を本体フレーム１１に対し角度θ１（例えば９０°）開いた状態から矢印Ａ方向へ回転して角度θ２（例えば１３５°）まで傾け、さらに矢印Ｃ方向へ引っ張ると、本体フレーム１１からロール紙ユニット３２が外れるようになっている。
【００４２】
なお、装置本体６を組み立てた後においては、ロール紙ユニット３２は、本体中カバー２による係止によって本体フレーム１１から外れないようになっている。
【００４３】
本実施の形態においては、チェック紙を挿入口２１から挿入して第１の搬送経路２５に沿って送り、読取ヘッド１７によってチェック紙に記録されたＭＩＣＲ文字を読み取る。
【００４４】
その後、読取ヘッド１７における読取情報に基づき、裏書き印字部１８によってチェック紙の裏面に裏書き印字を行うとともに、表書き印字部１９によってチェック紙の表面に表書き印字を行った後、このチェック紙を排出口２２から排出する。
【００４５】
一方、ロール紙から第２の搬送経路２６に沿って引き出された記録紙に対しては、読取ヘッド１７の読み取った情報に基づき、サーマルヘッド１５によって所定の印字を行った後、排出口２４から排出して、カッター１３によって切断してレシートとする。
【００４６】
以上述べたように本実施の形態にあっては、スリップ紙を搬送する第１の搬送経路２５と、ロール紙を搬送する第２の搬送経路２６とが異なる経路をとるように構成されているため、ロール紙に印字の際にスリップ紙の搬送経路を経由しなくてもよく、その結果、ロール紙の搬送方向を反転するための構成が必要なくなり、第３の印字部であるサーマルヘッド１５と排出口２４との搬送距離を短くすることが可能と記録紙の有効活用が可能となる。
【００４７】
また、本実施の形態によれば、スリップ紙に印字を行う裏書き印字部１８及び表書き印字部１９と、ロール紙に印字を行う印字ヘッド１５とをそれぞれ余裕をもって配置することができ、これにより裏書き印字部１８及び表書き印字部１９における消耗品（例えばインクリボンカセット）の交換、保守作業等を容易に行うことが可能になる。
【００４８】
また、本実施の形態によれば、ロール紙を切断するためのカッター１３がロックした場合に、そのロック状態から容易に復帰できるようになる。
【００４９】
しかも、本実施の形態の場合は、回動自在のロール紙ユニット３２を開いた状態にすると、裏書き印字部１８が露出するため、工具を用いて機械部分を分解することなく裏書き印字部１８の消耗品の交換や保守作業等を行うことができる。
【００５０】
さらに、本実施の形態によれば、装置本体６に対してロール紙ユニット３２が着脱自在に構成されていることから、ロール紙ユニット３２を装置本体６から取り外した状態でロール紙ユニット３２の保守作業等を行うことができ、これにより作業性を向上させることができる。
【００５１】
また更に、本実施の形態の複合処理装置１においては、ロール紙ユニット３２が装置本体６に対して取り外し可能な構成となっているため、上述したロール紙ユニット３２を、機能の異なる他の印字ユニットに交換することができる。
【００５２】
例えば、図５に示すように、上述したロール紙ユニット３２の代わりに、ロール紙を巻き取る巻取軸３５を備えたロール紙巻取ユニットを装着することもできる。
【００５３】
図５の３２Ａはロール紙巻き取りユニットの印字部と搬送部とを省略し、収容されたロール紙３４および印字後の記録紙を巻き取る巻き取り部のみのロール紙巻き取りユニットである。
【００５４】
このロール紙巻取ユニット３２Ａは、２層のサーマル紙がロール状の巻かれたロール紙３４を用いており、前述のサーマルヘッド１５により印字されるものである。
【００５５】
この場合、上側の記録紙は前述と同様に排出口２４から排出し、下側の記録紙は巻取軸３５に巻き取るように構成されている。
【００５６】
このように、それぞれ異なる機能を有するユニットを用意しておけば、種々の用途に対応した複合処理装置を提供することができ、また、構成部品の共用化を図ることが可能になる。
【００５７】
さらにまた、本実施の形態にあっては、本体中カバー２を取り外さない限りロール紙ユニット３２を開閉させてもロール紙ユニット３２が外れることはないため、ロール紙の交換等の作業を円滑かつ安全に行うことができるものである。
【００５８】
なお、本発明は上述の実施の形態に限られることなく、種々の変更を行うことができる。
【００５９】
例えば、読取ヘッド１７、裏書き印字部１８及び表書き印字部１９を設ける位置は、上述した実施の形態のものに限られず、装置の種類、大きさ、形状等に応じて適宜変更することができる。
【００６０】
また、ＭＩＣＲ文字を読み取るための読み取りヘッド（情報読取手段）を用いない構成をとることもできる。
【図面の簡単な説明】
【００６１】
【図１】本実施の形態の複合処理装置の外観構成を示す斜視図である。
【図２】実施の形態の複合処理装置の本体上カバーを開いた状態を示す斜視図である。
【図３】（ａ）：同実施の形態の複合処理装置の内部の概略構成を示す概略構成図である。（ｂ）：同実施の形態におけるロール紙ユニットが開いた状態を示す概略構成図である。
【図４】（ａ）：同実施の形態のロール紙ユニットの回転動作を示す説明図である。（ｂ）：同実施の形態におけるロール紙ユニットを取り外す場合を示す説明図である。
【図５】同実施の形態において使用可能なロール紙ユニットを示す説明図である。
【図６】従来の複合処理装置の要部を示す概略構成図である。
【符号の説明】
【００６２】
２  本体中カバー
１１  本体フレーム
１２  ユニットフレーム
１３  カッター
１５  サーマルヘッド（第３の印字部）
１７  読取ヘッド（読取手段）
１８  裏書き印字部（第１の印字部）
１９  表書き印字部（第２の印字部）
２５  第１の搬送経路
２６  第２の搬送経路
３０  本体ユニット
３１  読取印字ユニット
３２  ロール紙ユニット
【図１】
2006272966.tif 000003
【図２】
2006272966.tif 000004
【図３】
2006272966.tif 000005
【図４】
2006272966.tif 000006
【図５】
2006272966.tif 000007
【図６】
2006272966.tif 000008